(57)【特許請求の範囲】
【請求項１】
スプール軸に装着されるスピニングリールのスプールであって、
前記スプール軸に対して回転可能に構成されるスプール本体と、
前記スプール本体及び前記スプール軸の間に配置され、前記スプール本体の回転を制動するドラグ機構と、
前記スプール本体の内部において前記ドラグ機構に接触し、前記スプール本体及び前記スプール軸のいずれか一方に対して回転可能に構成され、且つ前記スプール本体及び前記スプール軸のいずれか他方に対して回転不能に構成される放熱部と、
を備え、
前記スプール本体は、釣り糸が巻き付けられる糸巻胴部と、前記糸巻胴部の後端に設けられる後フランジ部と、前記後フランジ部に設けられる筒状部とを、有し、
前記放熱部は、前記筒状部の内側に配置される、
スピニングリールのスプール。
【請求項２】
前記放熱部は、前記スプール本体に対して回転可能且つ前記スプール軸に対して回転不能に構成される、
請求項１に記載のスピニングリールのスプール。
【請求項３】
前記スプール軸に回転不能に構成される筒状の支持部、
をさらに備え、
前記スプール本体は、前記支持部に対して回転可能に構成され、
前記ドラグ機構は、前記スプール本体及び前記支持部の間に配置され、
前記放熱部は、前記支持部に回転不能に装着される、
請求項２に記載のスピニングリールのスプール。
【請求項４】
前記ドラグ機構は、前記スプール軸に対する前記スプール本体の回転を制動するための摩擦部を、有し、
前記摩擦部は、前記筒状部の内側に配置され、
前記放熱部は、前記摩擦部に接触する、
請求項１から３のいずれか１項に記載のスピニングリールのスプール。
【請求項５】
前記放熱部は、前記ドラグ機構に接触する接触部と、前記接触部から径方向外側に延びる拡張部とを、有し、
前記拡張部は、前記ドラグ機構の熱を排熱するための第１排熱孔を、有する、
請求項１から４のいずれか１項に記載のスピニングリールのスプール。
【請求項６】
前記ドラグ機構は、前記スプール軸に対して回転不能に構成される第１ドラグ板と、前記第１ドラグ板に接触し且つ前記スプール本体に対して回転不能に構成される第２ドラグ板とを、有し、
前記放熱部は、前記第１ドラグ板及び前記第２ドラグ板のいずれか一方に、接触する、
請求項１から５のいずれか１項に記載のスピニングリールのスプール。
【請求項７】
前記筒状部の内部において前記放熱部に対して回転可能に構成される筒状の回転部と、前記回転部から径方向外側に突出する少なくとも１つの羽根部とを、有する排熱部、
をさらに備え、
前記羽根部は、前記回転部の回転によって、前記筒状部の内部の熱を前記筒状部の内部において径方向外側に案内する、
請求項１から６のいずれか１項に記載のスピニングリールのスプール。
【請求項８】
前記排熱部は、前記スプール本体に一体回転可能に装着される。
請求項７に記載のスピニングリールのスプール。
【請求項９】
前記スプール本体は、釣り糸が巻き付けられる糸巻胴部と、前記糸巻胴部の後端に設けられる後フランジ部と、前記後フランジ部に設けられる筒状部とを、有し、
前記排熱部は、前記後フランジ部に一体回転可能に装着され、
前記筒状部は、前記スプール本体の内部の熱を前記スプール本体の外部に排熱するための第２排熱孔を、有する、
請求項７又は８に記載のスピニングリールのスプール。
【請求項１０】
前記排熱部は、前記スプール本体の内部の熱を前記スプール本体の内部において径方向外側に案内するための複数の羽根部を、有している、
請求項７から９のいずれか１項に記載のスピニングリールのスプール。
【請求項１１】
スプール軸と、
前記スプール軸に装着され、請求項１から１０のいずれか１項に記載の前記スプールと、
を備えるスピニングリール。
【発明の詳細な説明】
【技術分野】
【０００１】
本発明は、スピニングリールのスプール、特にスプール軸に装着されるスピニングリールのスプールに関する。また、本発明は、スピニングリール、特に上記スプールを有するスピニングリールに関する。
【背景技術】
【０００２】
従来のスピニングリールは、スプール軸に装着されたスプール本体と、スプール本体の内部においてドラグ収容空間に配置されたドラグ機構とを、有するものがある。
【０００３】
このスピニングリールでは、釣り糸に発生する引張力によりドラグ機構が作動すると、ドラグ機構は発熱するおそれがある。この問題を解決するために、従来のスピニングリールでは、スプール本体及びドラグ収容空間の間に放熱用の空間（通路）が設けられている（特許文献１を参照）。この場合、ドラグ収容空間内のドラグ機構が発熱すると、放熱用の空間の空気をスプール本体の内部から外部へと排出することによって、ドラグ機構の温度上昇を抑制している。
【先行技術文献】
【特許文献】
【０００４】
【特許文献１】特開２００６−４２７７１号公報
【発明の概要】
【発明が解決しようとする課題】
【０００５】
従来のスピニングリールでは、放熱用の空間の空気をスプール本体の内部から外部へと排出することによって、ドラグ機構の温度上昇を抑制していた。
【０００６】
この場合、ドラグ機構の熱を、放熱用の空間の空気を介して間接的に放熱しているので、ドラグ機構の温度を十分に抑制することができないおそれがある。また、ドラグ機構はドラグ収容空間の内部に配置されているので、ドラグ収容空間の内部の温度が上昇すると、ドラグ機構のグリース及びライニング等が、所望の性能を発揮できないおそれがある。
【０００７】
本発明は、上記の問題に鑑みてなされたものであって、本発明の目的は、ドラグ機構の温度上昇を効果的に低減可能なスピニングリールのスプールを、提供することにある。また、ドラグ機構の温度上昇を効果的に低減可能なスピニングリールを、提供することにある。
【課題を解決するための手段】
【０００８】
（１）本発明の一側面に係るスピニングリールのスプールは、スプール軸に装着される。本スプールは、スプール本体と、ドラグ機構と、放熱部とを、備える。スプール本体は、スプール軸に対して回転可能に構成される。ドラグ機構は、スプール本体及びスプール軸の間に配置される。ドラグ機構は、スプール本体の回転を制動する。放熱部は、スプール本体の内部においてドラグ機構に接触する。放熱部は、スプール本体及びスプール軸のいずれか一方に対して回転可能に構成される。放熱部は、スプール本体及びスプール軸のいずれか他方に対して回転不能に構成される。
【０００９】
本スプールでは、スプール本体がスプール軸に対して相対回転すると、ドラグ機構が作動する。すると、ドラグ機構に接触する放熱部によって、ドラグ機構において発生した熱が、放熱される。このように、本スプールでは、ドラグ機構の熱を、放熱部によって直接的に放熱することができる。これにより、ドラグ機構の温度上昇を効果的に低減できる。
【００１０】
（２）本発明の別の側面に係るスピニングリールのスプールでは、放熱部が、スプール本体に対して回転可能且つスプール軸に対して回転不能に構成されることが好ましい。
【００１１】
この場合、スプール本体が、スプール軸及び放熱部に対して相対回転可能である。このように構成しても、放熱部をドラグ機構に接触させているので、ドラグ機構の熱を、放熱部によって直接的に放熱することができる。これにより、ドラグ機構の温度上昇を効果的に低減できる。
【００１２】
（３）本発明のさらに別の側面に係るスピニングリールのスプールは、筒状の支持部を、さらに備えることが好ましい。支持部は、スプール軸に回転不能に構成される。スプール本体は、支持部に対して回転可能に構成される。ドラグ機構は、スプール本体及び支持部の間に配置される。放熱部は、支持部に回転不能に装着される。
【００１３】
この場合、ドラグ機構がスプール本体及び支持部の間に配置された状態で、スプール本体が、スプール軸及び支持部に対して相対回転可能である。このように構成しても、放熱部をドラグ機構に接触させているので、ドラグ機構の熱を、放熱部によって直接的に放熱することができる。これにより、ドラグ機構の温度上昇を効果的に低減できる。
【００１４】
（４）本発明のさらに別の側面に係るスピニングリールのスプールでは、スプール本体が、糸巻胴部と、１対のフランジ部と、筒状部とを、有していることが好ましい。糸巻胴部には、釣り糸が巻き付けられる。１対のフランジ部は、糸巻胴部の両端部に設けられる。筒状部は、１対のフランジ部のいずれか一方に設けられる。放熱部は、筒状部の内側に配置される。
【００１５】
このように放熱部を筒状部の内側に配置したとしても、放熱部をドラグ機構に接触させているので、ドラグ機構の熱を、放熱部によって直接的に放熱することができる。これにより、ドラグ機構の温度上昇を効果的に低減できる。
【００１６】
（５）本発明のさらに別の側面に係るスピニングリールのスプールでは、放熱部が、接触部と、拡張部とを、有していることが好ましい。接触部は、ドラグ機構に接触する部分である。拡張部は、接触部から径方向外側に延びる部分である。拡張部は、ドラグ機構の熱を排熱するための第１排熱孔を、有する。
【００１７】
この場合、ドラグ機構の熱が接触部に伝達され、接触部の熱は拡張部によって径方向外側へと伝達され、放熱される。また、ドラグ機構の熱によって温められた空気が、第１排熱孔によって排出される。これにより、ドラグ機構の温度上昇を効果的に低減できる。
【００１８】
（６）本発明のさらに別の側面に係るスピニングリールのスプールでは、ドラグ機構が、第１ドラグ板と、第２ドラグ板とを、有していることが好ましい。第１ドラグ板は、スプール軸に対して回転不能に構成される。第２ドラグ板は、第１ドラグ板に接触し且つスプール本体に対して回転不能に構成される。放熱部は、第１ドラグ板及び第２ドラグ板のいずれか一方に、接触する。
【００１９】
この場合、ドラグ機構の作動時には、第１ドラグ板及び第２ドラグ板が互いに接触した状態で相対回転する。これにより、ドラグ機構が発熱したとしても、放熱部が、第１ドラグ板及び第２ドラグ板のいずれか一方に、接触しているので、ドラグ機構の温度上昇を効果的に低減できる。
【００２０】
（７）本発明のさらに別の側面に係るスピニングリールのスプールは、排熱部をさらに備えることが好ましい。排熱部は、スプール本体の内部の熱を径方向外側に案内するために、スプール本体の内部において放熱部に対して回転可能に構成される。
【００２１】
この場合、ドラグ機構の熱によって温められた空気が、排熱部によって、スプール本体の内部において径方向外側に案内される。これにより、スプール本体の内部の温度上昇を低減できる。すなわち、ドラグ機構の温度上昇をより効果的に低減できる。
【００２２】
（８）本発明のさらに別の側面に係るスピニングリールのスプールでは、排熱部が、スプール本体に一体回転可能に装着されることが好ましい。
【００２３】
この場合、スプール本体がスプール軸に対して相対回転すると、排熱部もスプール軸に対して相対回転する。この排熱部の回転によって、ドラグ機構の熱によって温められた空気が、スプール本体の内部において径方向外側に、案内される。これにより、スプール本体の内部の温度上昇を低減できる。すなわち、ドラグ機構の温度上昇をより効果的に低減できる。
【００２４】
（９）本発明のさらに別の側面に係るスピニングリールのスプールでは、スプール本体は、糸巻胴部と、１対のフランジ部と、筒状部とを、有している。糸巻胴部には、釣り糸が巻き付けられる。１対のフランジ部は、糸巻胴部の両端部に設けられる。筒状部は、１対のフランジ部のいずれか一方に設けられる。排熱部は、いずれか一方のフランジ部に一体回転可能に装着される。筒状部は、スプール本体の内部の熱をスプール本体の外部に排熱するための第２排熱孔を、有する。
【００２５】
この場合、ドラグ機構の熱によって温められた空気が、第２排熱孔を介して、スプール本体の内部からスプール本体の外部に排出される。これにより、スプール本体の内部の温度上昇を低減できる。すなわち、ドラグ機構の温度上昇をより効果的に低減できる。
【００２６】
（１０）本発明のさらに別の側面に係るスピニングリールのスプールでは、排熱部が、複数の羽根部を有していることが好ましい。複数の羽根部は、スプール本体の内部の熱を径方向外側に案内するためのものである。
【００２７】
この場合、排熱部が回転すると、複数の羽根部によって、スプール本体の内部の熱をスプール本体の内部において径方向外側に効果的に案内することができる。これにより、スプール本体の内部の温度上昇を低減できる。すなわち、ドラグ機構の温度上昇をより効果的に低減できる。
【００２８】
（１１）本発明の一側面に係るスピニングリールは、スプール軸と、スプール軸に装着される上記のいずれかに記載のスプールとを、備えている。
【００２９】
本スピニングリールは、上記のいずれかに記載のスプールを備えているので、上述した効果と同様の効果を得ることができる。
【発明の効果】
【００３０】
本発明では、スピニングリールのスプールにおいて、ドラグ機構の温度上昇を効果的に低減できる。また、本発明では、スピニングリールにおいて、ドラグ機構の温度上昇を効果的に低減できる。
【図面の簡単な説明】
【００３１】
【図１】本発明の一実施形態によるスピニングリールの側面図。
【図２】前記スピニングリール前部の拡大断面図。
【図３】前記スピニングリールにおけるスカート部の内部を部分的に拡大した斜視図。
【図４】他の実施形態によるスピニングリールのスプールを後方から見た斜視図。
【図５】他の実施形態によるスピニングリール前部の拡大断面図。
【発明を実施するための形態】
【００３２】
本発明の一実施形態を採用したスピニングリール１が、図１に示されている。スピニングリール１は、リール本体２と、ロータ３と、スプール４とを、備えている。
【００３３】
以下では、スプール軸１５が延びる方向を「軸方向」と記す。「軸方向」には、スプール軸１５に沿った方向も含まれる。なお、「軸方向」において、釣り糸が繰り出される方向を「前方（前）」と記し、「前方（前）」とは反対の方向を「後方（後）」と記すことがある。
【００３４】
また、スプール軸１５から離れる方向を「径方向」と記す。ここで、リール本体２が釣り竿（図示しない）に装着された状態で、「径方向」においてスプール軸１５から釣り竿に向かう方向を「上方（上）」と記し、径方向において釣り竿から離れる方向を、「下方（下）」と記すことがある。
【００３５】
なお、図１では、「前方（前）」は紙面の左側に対応し、「後方（後）」は紙面の右側に対応している。また、図１では、「上方（上）」は紙面の上方に対応し、「下方（下）」は紙面の下方に対応している。
【００３６】
さらに、スプール軸１５の軸芯Ｘは、ロータ３の回転中心及びピニオンギア１２の回転中心と同芯であり、各部材において軸芯Ｘの周辺部を「中心部」と記すことがある。
【００３７】
＜リール本体の構成＞
リール本体２には、ハンドル（図示しない）が回転自在に支持されている。ハンドルは、リール本体２の左右いずれにも装着可能である。図１に示すように、リール本体２は、リールボディ２ａと、蓋部材（図示しない）と、本体ガード２ｄとを、有している。
【００３８】
リールボディ２ａの上部には、竿取付脚２ｃが一体に形成されている。リールボディ２ａの前部は、ロータ３の後部内側に配置される。リールボディ２ａには、スプール軸１５が回転不能且つ前後方向に移動可能に装着されている。
【００３９】
スプール軸１５の前端部には、ドラグ機構４３のドラグ調整つまみ７０（後述する）が、装着される。スプール軸１５の後端部には、スライダ２２が回転不能に固定されている。スプール軸１５の中央部には、ピニオンギア１２を介して、ロータ３が装着されている。
【００４０】
リールボディ２ａは、内部空間を有している。リールボディ２ａの内部空間には、ロータ駆動機構５と、オシレーティング機構６とが、設けられている。蓋部材は、リールボディ２ａの内部空間を塞ぐためにリールボディ２ａに装着されている。本体ガード２ｄは、リールボディ２ａ及び蓋部材２ｂの後部を覆うために、リールボディ２ａに装着されている。
【００４１】
ロータ駆動機構５は、フェースギア１１と、ピニオンギア１２とを有している。フェースギア１１は、ハンドルが固定されたマスターギア軸１０とともに回転する。ピニオンギア１２は、筒状に形成されている。ピニオンギア１２には、スプール軸１５が挿通される。ピニオンギア１２は、フェースギア１１に噛み合う。ピニオンギア１２は、フェースギア１１の回転に連動して、回転する。
【００４２】
ピニオンギア１２は、ロータ３の中心部を貫通し、ナット１３によりロータ３に固定されている。ピニオンギア１２は、第１軸受５３及び第２軸受５４を介して、リールボディ２ａに回転自在に支持されている。
【００４３】
オシレーティング機構６は、スプール４及びスプール軸１５を軸方向に移動させるための機構である。オシレーティング機構６は、螺軸２１と、スライダ２２と、中間ギア２３とを有している。螺軸２１は、リールボディ２ａに対して回転可能に設けられている。螺軸２１は、スプール軸１５の下方において、スプール軸１５と平行に配置されている。
【００４４】
スライダ２２は、スプール軸１５の後端部に回転不能に固定されている。スライダ２２は、螺軸２１に係合している。中間ギア２３は、螺軸２１の前端部に固定されている。中間ギア２３は、ピニオンギア１２に噛み合っている。
【００４５】
ここで、フェースギア１１が回転すると、ピニオンギア１２が回転する。すると、ピニオンギア１２に噛み合う中間ギア２３を介して、螺軸２１が回転する。すると、螺軸２１の回転によって、スライダ２２が、螺軸２１に沿って軸方向に往復移動する。これにより、スプール軸１５が、軸方向において往復移動する。
【００４６】
＜ロータの構成＞
ロータ３は、リール本体２に回転可能に支持されている。ロータ３は、スプール軸１５まわりに回転可能である。
【００４７】
ロータ３は、ロータ本体７と、１対のロータアーム３０と、ベールアーム３１とを、有している。ロータ本体７は、リール本体２に回転可能に支持されている。詳細には、ロータ本体７は、実質的に筒状に形成されている。ロータ本体７は、ピニオンギア１２に回転不能に連結されており、ピニオンギア１２とともに回転可能である。１対のロータアーム３０は、ロータ本体７に一体に形成される。ベールアーム３１は、糸案内姿勢（図１の姿勢）と、糸案内姿勢から反転した糸開放姿勢との間で、揺動自在である。
【００４８】
＜スプールの構成＞
図２に示すように、スプール４は、ロータ３の前方において軸方向に移動自在に配置されている。スプール４は、ロータ３の１対のロータアーム３０の間に、配置されている。スプール４は、スプール軸１５に装着される。スプール４は、上述したオシレーティング機構６によって、スプール軸１５とともに、軸方向において往復移動する。
【００４９】
図２に示すように、スプール４は、支持部４１と、スプール本体４２と、ドラグ機構４３と、ヒートシンク４４（放熱部の一例）と、排熱カバー４５（排熱部の一例）とを、備えている。
【００５０】
（支持部）
支持部４１は、スプール軸１５に対して回転不能に装着されている。また、支持部４１は、スプール軸１５とともに軸方向に移動可能なように、スプール軸１５に装着されている。
【００５１】
図２及び図３に示すように、支持部４１は、支持部本体５１と、規制部５２とを、有している。支持部本体５１は、筒状の軸受装着部５１ａと、複数の突出部５１ｂとを、有している。軸受装着部５１ａは、第１軸受５３を介して、スプール本体４２を回転自在に支持する。
【００５２】
複数（例えば４個）の突出部５１ｂは、軸受装着部５１ａの端部（後端）に設けられている。複数の突出部５１ｂそれぞれは、軸受装着部５１ａから径方向に突出し、周方向に所定の間隔で配置されている。複数の突出部５１ｂは、軸方向に見て、例えば十字形状に形成されている。また、複数の突出部５１ｂは、ドラグ機構４３の摩擦部７２（後述する第１ドラグ座金７３ａ，７３ｂ）を、係止する。
【００５３】
複数の突出部５１ｂには、規制部５２が固定される。規制部５２は、スプール軸１５に対する支持部本体５１の回転を、規制するためのものである。具体的には、規制部５２は、支持部本体５１の端部（後端）に固定される。より具体的には、規制部５２は、固定ボルト８１により、支持部本体５１の突出部５１ｂに、固定される。
【００５４】
また、規制部５２は、スプール軸１５に対して回転不能に装着される。具体的には、規制部５２には、孔部５２ａが設けられている。この孔部５２ａにスプール軸１５を非円形係合することによって、規制部５２はスプール軸１５に回転不能に係止される。このように構成することによって、支持部本体５１が、規制部５２を介して、スプール軸１５に対して回転不能に係止される。
【００５５】
また、規制部５２は、ドラグ機構４３の摩擦部７２を軸方向に保持するためのものでもある。具体的には、規制部５２は、ヒートシンク４４（後述する接触部６１）を介して、上記のように支持部本体５１の突出部５１ｂに固定される。このように構成することによって、摩擦部７２の後方への移動が規制される。これにより、摩擦部７２が、ヒートシンク４４（後述する接触部６１）を介して、規制部５２及びフランジ部４２ｃ（後述する）の間で挟持される。
【００５６】
（スプール本体）
スプール本体４２は、支持部４１に対して回転可能に装着される。図２に示すように、スプール本体４２は、筒状の糸巻胴部４２ａと、１対のフランジ部４２ｂ，４２ｃと、筒状のスカート部４２ｄ（筒状部の一例）とを有している。
【００５７】
糸巻胴部４２ａの外周面には、釣り糸が巻き付けられる。図２に示すように、糸巻胴部４２ａの前側内部には、第２軸受５４が配置されている。第２軸受５４は、糸巻胴部４２ａとドラグ伝達機構７１の押圧部材７６（後述する）との間に配置される。この第２軸受５４を介して、糸巻胴部４２ａは、ドラグ伝達機構７１の押圧部材７６に対して、回転自在に支持される。ここで、押圧部材７６は、スプール軸１５に対して回転不能に係止されているので、糸巻胴部４２ａは、第２軸受５４を介して、スプール軸１５に回転自在に支持されている。
【００５８】
糸巻胴部４２ａは、壁部４２ｈを有している。壁部４２ｈは、糸巻胴部４２ａの内周面から内方に突出するように、糸巻胴部４２ａに一体に形成されている。また、糸巻胴部４２ａの後側内部には、第１軸受５３が配置されている。第１軸受５３は、糸巻胴部４２ａと支持部４１の支持部本体５１との間に配置される。これにより、糸巻胴部４２ａは、第１軸受５３を介して、支持部４１の支持部本体５１に回転自在に支持される。ここで、支持部本体５１は、規制部５２を介して、スプール軸１５に対して回転不能に係止されているので、糸巻胴部４２ａは、第１軸受５３を介して、スプール軸１５に回転自在に支持されている。
【００５９】
１対のフランジ部４２ｂ，４２ｃは、糸巻胴部４２ａの両端部に各別に設けられる。１対のフランジ部４２ｂ，４２ｃそれぞれは、実質的に円環状に形成されている。以下では、一方のフランジ部４２ｂを前フランジ部４２ｂと記し、他方のフランジ部４２ｃを後フランジ部４２ｃと記す。
【００６０】
前フランジ部４２ｂは、糸巻胴部４２ａと一体形成されている。後フランジ部４２ｃは、糸巻胴部４２ａと一体形成されている。後フランジ部４２ｃの後面には、筒状の後ドラグ装着部４２ｅが一体に形成されている。例えば、後ドラグ装着部４２ｅは、スカート部４２ｄの内方において、スカート部４２ｄと間隔を隔てて配置されている。後ドラグ装着部４２ｅの外周面には、雄ネジ部４２ｆが形成されている。
【００６１】
図２及び図３に示すように、後ドラグ装着部４２ｅ及び後フランジ部４２ｃによって、収納凹部４７が構成されている。収納凹部４７は、後方に開口し、ドラグ機構４３の摩擦部７２を収納する。収納凹部４７の底部には、糸巻胴部４２ａの内周面に連通する孔部４７ａが、形成されている。
【００６２】
収納凹部４７は、複数（例えば４個）の係止溝６９を、有している。複数の係止溝６９は、収納凹部４７の内周面に形成されている。具体的には、複数の係止溝６９それぞれは、収納凹部４７における壁部の内周面において、軸方向に延びている。また、複数の係止溝６９それぞれは、収納凹部４７における壁部の内周面において、周方向に互いに間隔を隔てて形成されている。複数の係止溝６９によって、ドラグ機構４３の摩擦部７２（後述する第２ドラグ座金７４ａ，７４ｂ）が、回転不能に係止される。
【００６３】
スカート部４２ｄは、フランジ部４２ｃから後方に延びる部分である。スカート部４２ｄは、後フランジ部４２ｃに設けられている。スカート部４２ｄは、実質的に筒状に形成されている。スカート部４２ｄは、複数の第２排熱孔４２ｇを、有している。複数の第２排熱孔４２ｇは、スプール本体４２の内部の熱を、スプール本体４２の外部に排熱するためのものである。複数の第２排熱孔４２ｇは、径方向にスカート部４２ｄを貫通し、且つ周方向に所定の間隔を隔てて配置されている。
【００６４】
（ドラグ機構）
ドラグ機構４３は、スプール本体４２の回転を制動するためのものである。図２に示すように、ドラグ機構４３は、スプール本体４２の内周部に配置される。詳細には、ドラグ機構４３は、スプール本体４２とスプール軸１５との間に装着される。より詳細には、ドラグ機構４３は、スプール本体４２と支持部４１（支持部本体５１）との間に配置される。
【００６５】
ドラグ機構４３は、ドラグ調整つまみ７０と、ドラグ伝達機構７１と、摩擦部７２と、音出し機構７５とを、有している。ドラグ調整つまみ７０は、スプール軸１５の先端部に装着される。
【００６６】
ドラグ伝達機構７１は、糸巻胴部４２ａの前側内部に配置されている。ドラグ伝達機構７１は、押圧部材７６と、摺動部７７とを、有している。
【００６７】
押圧部材７６は、ドラグ調整つまみ７０により押圧される。押圧部材７６は、軸方向において、ドラグ調整つまみ７０と摺動部７７との間に配置される。
【００６８】
押圧部材７６は、筒状部７６ａと、鍔部７６ｂとを、有する。筒状部７６ａは、実質的に円筒状に形成されている。筒状部７６ａは、ドラグ調整つまみ７０により押圧される。筒状部７６ａの外周部には、第２軸受５４が配置される。筒状部７６ａの前側内部には、スプール軸１５が挿通される。筒状部７６ａの内周面をスプール軸１５に非円形係合することによって、筒状部７６ａはスプール軸１５に対して回転不能に係止される。筒状部７６ａの後側内部には、支持部本体５１の軸受装着部５１ａを介して、スプール軸１５が配置される。
【００６９】
鍔部７６ｂは、筒状部７６ａに設けられている。具体的には、鍔部７６ｂは、筒状部７６ａの後端部において、筒状部７６ａから径方向内側に突出している。また、鍔部７６ｂは、軸方向において、摺動部７７に接触している。例えば、筒状部７６ａがドラグ調整つまみ７０により押圧されると、鍔部７６ｂ及び糸巻胴部４２ａの壁部４２ｈによって、摺動部７７が挟持される。
【００７０】
摺動部７７は、押圧部材７６と糸巻胴部４２ａのフランジ部との間に配置される。摺動部７７は、押圧部材７６（鍔部７６ｂ）及び糸巻胴部４２ａの壁部４２ｈによって挟持された状態で、押圧部材７６と糸巻胴部４２ａのフランジ部との相対回転を、許可する。摺動部７７は、環状に形成された部材、例えばワッシャである。
【００７１】
摩擦部７２は、スプール本体４２の回転を制動するためのものである。図２及び図３に示すように、摩擦部７２は、スプール本体４２のスカート部４２ｄの内周部に、配置される。また、摩擦部７２は、スプール本体４２及び規制部５２の間に、配置される。
【００７２】
具体的には、摩擦部７２は、１又は複数（例えば２枚）の第１ドラグ座金７３ａ，７３ｂ（第１ドラグ板の一例）と、１又は複数（例えば２枚）の第２ドラグ座金７４ａ，７４ｂ（第２ドラグ板の一例）とを、有している。
【００７３】
第１ドラグ座金７３ａ，７３ｂ及び第２ドラグ座金７４ａ，７４ｂは、収納凹部４７に収納される。第１ドラグ座金７３ａ，７３ｂ及び第２ドラグ座金７４ａ，７４ｂは、軸方向において交互に配置される。複数の第１及び第２ドラグ座金７３ａ，７３ｂ、７４ａ，７４ｂは、スプール本体４２及び規制部５２によって、挟持される。詳細には、複数の第１及び第２ドラグ座金７３ａ，７３ｂ、７４ａ，７４ｂは、スプール本体４２の後フランジ部４２ｃ及び規制部５２によって、挟持される。
【００７４】
第１ドラグ座金７３ａ，７３ｂは、支持部本体５１に対して回転不能に装着されている。具体的には、複数の第１ドラグ座金７３ａ，７３ｂは、支持部本体５１における複数の突出部５１ｂによって、回転不能に係止される。より具体的には、複数の第１ドラグ座金７３ａ，７３ｂは、複数の突出部５１ｂの外径に沿う孔部（図示しない）を、有している。孔部は、十字形状に形成されている。これら孔部を複数の突出部５１ｂに嵌合することによって、複数の第１ドラグ座金７３ａ，７３ｂは、スプール軸１５に対して回転不能に構成される。
【００７５】
第１ドラグ座金７３ｂは、ヒートシンク４４（後述する接触部６１）に接触している。また、第１ドラグ座金７３ｂは、ヒートシンク４４（接触部６１）を介して、規制部５２によって後方への移動が規制されている。これにより、第１ドラグ座金７３ｂは、ヒートシンク４４（接触部６１）を介して、規制部５２によって押圧される。
【００７６】
第２ドラグ座金７４ａ，７４ｂは、第１ドラグ座金７３ａ，７３ｂと相対回転することによって、ドラグ力を発生する。第２ドラグ座金７４ａ，７４ｂは、収納凹部４７に回転不能に装着されている。具体的には、第２ドラグ座金７４ａ，７４ｂそれぞれは、複数の爪部７４ｃ，７４ｄ（図２を参照）を、有している。これら爪部７４ｃ，７４ｄを後ドラグ装着部４２ｅの係止溝６９に係合することによって、第２ドラグ座金７４ａ，７４ｂは、スプール本体４２に対して回転不能、且つスプール軸１５に対して回転可能に構成される。また、第２ドラグ座金７４ａは、スプール本体４２の後フランジ部４２ｃの後面に接触し、スプール本体４２の後フランジ部４２ｃにより押圧される。
【００７７】
図２に示すように、音出し機構７５は、摩擦部７２の作動時に発音する機構である。音出し機構７５は、ばね装着部７５ａと、音出し部７５ｂと、ばね部材７５ｃと、音出しピン７５ｄとを、有している。
【００７８】
ばね装着部７５ａは、第１ドラグ座金７３ｂの後面に装着される。音出し部７５ｂは、スプール本体４２例えば後ドラグ装着部４２ｅに、装着される。音出し部７５ｂは、実質的に円筒状に形成されている。音出し部７５ｂの内周部には、複数の凹部が形成されている。複数の凹部は、音出し部７５ｂの内周部において周方向に所定の間隔を隔てて配置されている。
【００７９】
ばね部材７５ｃは、例えばコイルばねである。ばね部材７５ｃの一端部は、ばね装着部７５ａに装着される。ばね部材７５ｃの他端部は、音出しピン７５ｄの頭部を押圧する。音出しピン７５ｄの軸部は、ばね部材７５ｃの内周部に配置される。音出しピン７５ｄの頭部は、音出し部７５ｂの凹部に係合可能である。
【００８０】
このように構成することによって、スプール本体４２（後ドラグ装着部４２ｅ）が、摩擦部７２の第１ドラグ座金７３ｂに対して回転すると、音出しピン７５ｄの頭部が、音出し部７５ｂにおける複数の凹部に、連続的に当接し、発音する。
【００８１】
（ヒートシンク）
ヒートシンク４４は、ドラグ機構４３において発生した熱を放熱するためのものである。図２及び図３に示すように、ヒートシンク４４は、スプール本体４２の内部、例えばスカート部４２ｄの内側において、摩擦部７２に接触している。ヒートシンク４４は、熱伝導率が摩擦部７２例えば第１ドラグ座金７３ｂと実質的に同じ材質から、構成されている。ヒートシンク４４は、スプール軸１５に対して回転不能、且つスプール本体４２に対して回転可能に、構成される。
【００８２】
具体的には、図３に示すように、ヒートシンク４４は、接触部６１と、拡張部６２とを、有する。接触部６１は、摩擦部７２に接触する部分である。具体的には、接触部６１は、実質的に円環状に形成されている。接触部６１は、摩擦部７２の第１ドラグ座金７３ｂに接触する。この状態において、接触部６１は、軸方向において規制部５２と支持部本体５１の突出部５１ｂとの間に配置される。そして、接触部６１は、固定ボルト８１により、規制部５２とともに、支持部本体５１の突出部５１ｂに固定される。
【００８３】
拡張部６２は、接触部６１から径方向外側に延びる部分である。拡張部６２は、第１外側筒部６３と、第１内側筒部６４と、第１連結部６５とを、有している。
【００８４】
第１外側筒部６３は、実質的に筒状に形成されている。第１外側筒部６３は、第１連結部６５の外周部に一体に形成され、後フランジ部４２ｃに向けて延びている。第１内側筒部６４は、実質的に筒状に形成され、第１外側筒部６３の内側に配置されている。第１内側筒部６４は、第１連結部６５の内周部に一体に形成されている。第１内側筒部６４は、接触部６１に向けて延びている。
【００８５】
第１連結部６５は、第１内側筒部６４及び第１外側筒部６３を径方向に連結する部分である。第１連結部６５は、実質的に円環状に形成されている。詳細には、第１連結部６５は、円環部６５ｃと、円環状の傾斜部６５ｂと、複数の第1排熱孔６５ａとを、有している。
【００８６】
円環部６５ｃは、実質的に円環板状に形成されている。円環部６５ｃの外周部は、第１外側筒部６３に一体に形成されている。傾斜部６５ｂは、円環部６５ｃの内周部及び第１内側筒部６４に一体に形成されている。傾斜部６５ｂは、円環部６５ｃの内周部から接触部６１側に向けて傾斜している。
【００８７】
複数の第1排熱孔６５ａは、摩擦部７２において発生した熱によって暖められた空気を、排出するためのものである。複数の第1排熱孔６５ａそれぞれは、第１連結部６５に設けられている。具体的には、複数の第1排熱孔６５ａそれぞれは、円環部６５ｃに設けられている。複数の第1排熱孔６５ａそれぞれは、実質的に円形状に形成されている。複数の第1排熱孔６５ａそれぞれは、円環部６５ｃを軸方向に貫通している。複数の第1排熱孔６５ａそれぞれは、周方向に間隔を隔てて配置されている。
【００８８】
上述したヒートシンク４４では、接触部６１が、スプール軸１５に回転不能な規制部５２とともに、支持部本体５１の突出部５１ｂに、固定されている。これにより、接触部６１は、スプール軸１５に対して回転不能である。すなわち、ヒートシンク４４は、スプール軸１５に対して回転不能である。
【００８９】
この状態で、スプール本体４２が、ヒートシンク４４及びスプール軸１５に対して、相対回転すると、ドラグ機構４３が作動する。すると、ドラグ機構４３の摩擦部７２において発生した熱が、接触部６１（ヒートシンク４４）に伝達され、接触部６１から拡張部６２（ヒートシンク４４）へとさらに伝達される。このように、摩擦部７２の熱をヒートシンク４４に伝達することによって、この熱はヒートシンク４４において放熱される。また、摩擦部７２に熱が発生すると、この熱によって摩擦部７２のまわりの空気が暖められる。この摩擦部７２によって暖められた空気は、ヒートシンク４４の第1排熱孔６５ａから、排熱される。
【００９０】
（排熱カバー）
排熱カバー４５は、摩擦部７２において発生した熱によって暖められた空気を、スプール本体４２の内部から径方向外側に案内する。また、排熱カバー４５は、摩擦部７２を覆っており、摩擦部７２への異物の侵入を防止する。
【００９１】
図２に示すように、排熱カバー４５は、スプール本体４２に一体回転可能に装着される。排熱カバー４５は、スプール本体４２の内部、例えばスカート部４２ｄの内側において、後フランジ部４２ｃとヒートシンク４４との軸方向間に、配置されている。また、排熱カバー４５は、摩擦部７２とヒートシンク４４との軸方向間に配置されている。
【００９２】
具体的には、図３に示すように、排熱カバー４５は、第２外側筒部６６と、第２内側筒部６７と、第２連結部６８とを、有している。第２外側筒部６６は、実質的に筒状に形成されている。第２外側筒部６６は、第２連結部６８の外周部に一体に形成されている。第２外側筒部６６は、第２連結部６８の外周部から後フランジ部４２ｃに向けて、延びている。
【００９３】
第２外側筒部６６は、後フランジ部４２ｃの後ドラグ装着部４２ｅの外周部に、装着される。具体的には、第２外側筒部６６の内周部と後ドラグ装着部４２ｅの外周部との間には、第１シール部材８２が配置されている。第２外側筒部６６の内周面には、雌ねじ部６６ｃが形成されている。雌ねじ部６６ｃは、後ドラグ装着部４２ｅの雄ネジ部４２ｆに螺合する。これにより、第２外側筒部６６は、後フランジ部４２ｃに一体回転可能に装着される。
【００９４】
第２外側筒部６６は、複数の羽根部６６ａを、有している。複数の羽根部６６ａによって、スプール本体４２の内部の熱が、径方向外側に案内される。具体的には、複数の羽根部６６ａは、第２外側筒部６６の外周部に設けられている。
【００９５】
より具体的には、複数の羽根部６６ａそれぞれは、第２外側筒部６６の外周部から外方に突出している。また、複数の羽根部６６ａそれぞれは、先端部が基端部に対してスプール本体４２の回転方向にオフセットするように、第２外側筒部６６の外周部から外方に突出している。また、複数の羽根部６６ａそれぞれは、第２外側筒部６６の外周部において、軸方向に延びている。さらに、複数の羽根部６６ａそれぞれは、第２外側筒部６６の外周部において、周方向に間隔を隔てて配置されている。
【００９６】
第２内側筒部６７は、実質的に筒状に形成され、第２外側筒部６６の内側に配置されている。第２内側筒部６７は、第２連結部６８の内周部に一体に形成されている。第２内側筒部６７は、第２連結部６８の内周部から接触部６１に向けて、延びている。
【００９７】
第２連結部６８は、第２内側筒部６７及び第２外側筒部６６を径方向に連結する部分である。第２連結部６８は、実質的に円環状に形成されている。第２連結部６８は、摩擦部７２とヒートシンク４４の第１連結部６５との軸方向間に、配置される。また、摩擦部７２と第２連結部６８との軸方向間には、上述した音出し機構７５（図２を参照）が、配置される。また、第２連結部６８には、突起６８ａが設けられている。突起６８ａは、第２連結部６８からヒートシンク４４の第１連結部６５に向けて、突出している。
【００９８】
第２外側筒部６６と第２内側筒部６７との径方向間には、上述した音出し機構７５（図２を参照）が、配置されている。第２内側筒部６７の内周面とヒートシンク４４の第１内側筒部６４の外周面との間には、第２シール部材８４が配置されている。第１及び第２シール部材８２，８４と、排熱カバー４５と、ヒートシンク４４とによって、摩擦部７２への異物の浸入が、防止されている。
【００９９】
上述した排熱カバー４５では、第２外側筒部６６が、スプール本体４２の後フランジ部４２ｃ（後ドラグ装着部４２ｅ）に一体回転可能に装着されている。これにより、排熱カバー４５は、スプール本体４２と一体回転可能である。
【０１００】
この状態で、スプール本体４２が回転すると、ドラグ機構４３が作動する。この際には、排熱カバー４５は、スプール本体４２とともに回転する。すると、スプール本体４２及び排熱カバー４５は、ヒートシンク４４及びスプール軸１５に対して、相対回転する。すると、排熱カバー４５の複数の羽根部６６ａが、ドラグ機構４３の摩擦部７２によって暖められた空気を、スカート部４２ｄの複数の第２排熱孔４２ｇに案内する。すると、この空気は、複数の第２排熱孔４２ｇからスカート部４２ｄの外部へと排出される。
【０１０１】
〔まとめ〕
上記実施形態は、下記のように表現可能である。
【０１０２】
（１）スピニングリール１のスプール４は、スプール軸１５に装着される。本スプール４は、スプール本体４２と、ドラグ機構４３と、ヒートシンク４４とを、備える。スプール本体４２は、スプール軸１５に対して回転可能に構成される。ドラグ機構４３は、スプール本体４２及びスプール軸１５の間に配置される。ドラグ機構４３は、スプール本体４２の回転を制動する。ヒートシンク４４は、スプール本体４２の内部においてドラグ機構４３に接触する。ヒートシンク４４は、スプール本体４２に対して回転可能に構成される。ヒートシンク４４は、スプール軸１５に対して回転不能に構成される。
【０１０３】
本スプール４では、スプール本体４２がスプール軸１５に対して相対回転すると、ドラグ機構４３が作動する。すると、ドラグ機構４３に接触するヒートシンク４４によって、ドラグ機構４３において発生した熱が、放熱される。このように、本スプール４では、ドラグ機構４３の熱を、ヒートシンク４４によって直接的に放熱することができる。これにより、ドラグ機構４３の温度上昇を効果的に低減できる。
【０１０４】
（２）スピニングリール１のスプール４では、ヒートシンク４４が、スプール本体４２に対して回転可能且つスプール軸１５に対して回転不能に構成されることが好ましい。
【０１０５】
この場合、スプール本体４２が、スプール軸１５及びヒートシンク４４に対して相対回転可能である。このように構成しても、ヒートシンク４４をドラグ機構４３に接触させているので、ドラグ機構４３の熱を、ヒートシンク４４によって直接的に放熱することができる。これにより、ドラグ機構４３の温度上昇を効果的に低減できる。
【０１０６】
（３）スピニングリール１のスプール４は、筒状の支持部４１を、さらに備えることが好ましい。支持部４１は、スプール軸１５に回転不能に構成される。スプール本体４２は、支持部４１に対して回転可能に構成される。ドラグ機構４３は、スプール本体４２及び支持部４１の間に配置される。ヒートシンク４４は、支持部４１に回転不能に装着される。
【０１０７】
この場合、ドラグ機構４３がスプール本体４２及び支持部４１の間に配置された状態で、スプール本体４２が、スプール軸１５及び支持部４１に対して相対回転可能である。このように構成しても、ヒートシンク４４をドラグ機構４３に接触させているので、ドラグ機構４３の熱を、ヒートシンク４４によって直接的に放熱することができる。これにより、ドラグ機構４３の温度上昇を効果的に低減できる。
【０１０８】
（４）スピニングリール１のスプール４では、スプール本体４２が、糸巻胴部４２ａと、１対のフランジ部４２ｂ，４２ｃと、スカート部４２ｄとを、有していることが好ましい。糸巻胴部４２ａには、釣り糸が巻き付けられる。１対のフランジ部４２ｂ，４２ｃは、糸巻胴部４２ａの両端部に設けられる。スカート部４２ｄは、１対のフランジ部４２ｂ，４２ｃのいずれか一方に設けられる。ヒートシンク４４は、スカート部４２ｄの内側に配置される。
【０１０９】
このようにヒートシンク４４をスカート部４２ｄの内側に配置したとしても、ヒートシンク４４をドラグ機構４３に接触させているので、ドラグ機構４３の熱を、ヒートシンク４４によって直接的に放熱することができる。これにより、ドラグ機構４３の温度上昇を効果的に低減できる。
【０１１０】
（５）スピニングリール１のスプール４では、ヒートシンク４４が、接触部６１と、拡張部６２とを、有していることが好ましい。接触部６１は、ドラグ機構４３に接触する部分である。拡張部６２は、接触部６１から径方向外側に延びる部分である。拡張部６２は、ドラグ機構４３の熱を排熱するための第1排熱孔６５ａを、有する。
【０１１１】
この場合、ドラグ機構４３の熱が接触部６１に伝達され、接触部６１の熱は拡張部６２によって径方向外側へと伝達され、放熱される。また、ドラグ機構４３の熱によって温められた空気が、第1排熱孔６５ａによって排出される。これにより、ドラグ機構４３の温度上昇を効果的に低減できる。
【０１１２】
（６）スピニングリール１のスプール４では、ドラグ機構４３が、第１ドラグ座金７３ａ，７３ｂと、第２ドラグ座金７４ａ，７４ｂとを、有していることが好ましい。第１ドラグ座金７３ａ，７３ｂは、スプール軸１５に対して回転不能に構成される。第２ドラグ座金７４ａ，７４ｂは、第１ドラグ座金７３ａ，７３ｂに接触し且つスプール本体４２に対して回転不能に構成される。ヒートシンク４４は、第１ドラグ座金７３ｂに、接触する。
【０１１３】
この場合、ドラグ機構４３の作動時には、第１ドラグ座金７３ａ，７３ｂ及び第２ドラグ座金７４ａ，７４ｂが互いに接触した状態で相対回転する。これにより、ドラグ機構４３が発熱したとしても、ヒートシンク４４が、第１ドラグ座金７３ｂに、接触しているので、ドラグ機構４３の温度上昇を効果的に低減できる。
【０１１４】
（７）スピニングリール１のスプール４は、排熱カバー４５をさらに備えることが好ましい。排熱カバー４５は、スプール本体４２の内部の熱を径方向外側に案内するために、スプール本体４２の内部においてヒートシンク４４に対して回転可能に構成される。
【０１１５】
この場合、ドラグ機構４３の熱によって温められた空気が、排熱カバー４５によって、スプール本体４２の内部において径方向外側に案内される。これにより、スプール本体４２の内部の温度上昇を低減できる。すなわち、ドラグ機構４３の温度上昇をより効果的に低減できる。
【０１１６】
（８）スピニングリール１のスプール４では、排熱カバー４５が、スプール本体４２に一体回転可能に装着されることが好ましい。
【０１１７】
この場合、スプール本体４２がスプール軸１５に対して相対回転すると、排熱カバー４５もスプール軸１５に対して相対回転する。この排熱カバー４５の回転によって、ドラグ機構４３の熱によって温められた空気が、スプール本体４２の内部において径方向外側に、案内される。これにより、スプール本体４２の内部の温度上昇を低減できる。すなわち、ドラグ機構４３の温度上昇をより効果的に低減できる。
【０１１８】
（９）スピニングリール１のスプール４では、スプール本体４２は、糸巻胴部４２ａと、１対のフランジ部４２ｂ，４２ｃと、スカート部４２ｄとを、有している。糸巻胴部４２ａには、釣り糸が巻き付けられる。１対のフランジ部４２ｂ，４２ｃは、糸巻胴部４２ａの両端部に設けられる。スカート部４２ｄは、１対のフランジ部４２ｂ，４２ｃのいずれか一方に設けられる。排熱カバー４５は、いずれか一方のフランジ部４２ｂ，４２ｃに一体回転可能に装着される。スカート部４２ｄは、スプール本体４２の内部の熱をスプール本体４２の外部に排熱するための第２排熱孔４２ｇを、有する。
【０１１９】
この場合、ドラグ機構４３の熱によって温められた空気が、第２排熱孔４２ｇを介して、スプール本体４２の内部からスプール本体４２の外部に排出される。これにより、スプール本体４２の内部の温度上昇を低減できる。すなわち、ドラグ機構４３の温度上昇をより効果的に低減できる。
【０１２０】
（１０）スピニングリール１のスプール４では、排熱カバー４５が、複数の羽根部６６ａを有していることが好ましい。複数の羽根部６６ａは、スプール本体４２の内部の熱を径方向外側に案内するためのものである。
【０１２１】
この場合、排熱カバー４５が回転すると、複数の羽根部６６ａによって、スプール本体４２の内部の熱をスプール本体４２の内部において径方向外側に効果的に案内することができる。これにより、スプール本体４２の内部の温度上昇を低減できる。すなわち、ドラグ機構４３の温度上昇をより効果的に低減できる。
【０１２２】
（１１）スピニングリール１は、スプール軸１５と、スプール軸１５に装着される上記のいずれかに記載のスプール４とを、備えている。
【０１２３】
本スピニングリール１は、上記のいずれかに記載のスプール４を備えているので、上述した効果と同様の効果を得ることができる。
【０１２４】
〔他の実施形態〕
（ａ）前記実施形態では、ヒートシンク４４が第１ドラグ座金７３ｂに接触する場合の例を示した。これに代えて、第１ドラグ座金７３ａ，７３ｂ及び第２ドラグ座金７４ａ，７４ｂを軸方向に並べる順番を変更することによって、ヒートシンク４４を第２ドラグ座金７４ｂに接触させるようにしてもよい。このように構成しても、上述した効果と同様の効果を得ることができる。
【０１２５】
（ｂ）前記実施形態では、ヒートシンク４４が、スプール本体４２に対して回転可能、且つスプール軸１５に対して回転不能である場合の例を示した。これに代えて、ヒートシンク４４が、スプール軸１５に対して回転可能、且つスプール本体４２に対して回転不能であるように構成しても、上述した効果と同様の効果を得ることができる。
【０１２６】
（ｃ）前記実施形態では、排熱カバー４５の第２外側筒部６６に複数の羽根部６６ａが形成される場合の例を示した。これに加えて、図４に示すように、複数の羽根部６６ｂが、排熱カバー４５の第２連結部６８に、さらに形成されていてもよい。なお、以下では、第２外側筒部６６の羽根部６６ａを、第１羽根部６６ａと記し、第２連結部６８の羽根部６６ｂを、第２羽根部６６ｂと記す。
【０１２７】
この場合、複数の第２羽根部６６ｂは、第２連結部６８に設けられている。複数の第２羽根部６６ｂそれぞれは、軸方向に突出し、且つ径方向に延びている。また、複数の第２羽根部６６ｂそれぞれは、周方向に間隔を隔てて配置されている。複数の第２羽根部６６ｂそれぞれは、円弧状に形成されている。
【０１２８】
また、ヒートシンク４４は、接触部６１（図３を参照）と、拡張部６２とを、有する。接触部６１の構成は、前記実施形態の構成と実質的に同じであるため、ここでは説明を省略する。
【０１２９】
また、拡張部６２は、第１内側筒部６４を有している。すなわち、拡張部６２は、前記実施形態における第１外側筒部６３及び第１連結部６５を、有していない。第１内側筒部６４は、接触部６１に一体に形成され、接触部６１から後方に延びている。第１内側筒部６４は、第２連結部６８の内方且つ第２内側筒部６７の内方に配置される。
【０１３０】
このように構成することによって、ドラグ機構４３の作動時に排熱カバー４５がスプール本体４２とともにスプール軸１５に対して回転すると、ヒートシンク４４（第１内側筒部６４）によって暖められた空気が、複数の第２羽根部６６ｂによって、径方向外側に案内される。
【０１３１】
そして、この空気が、複数の第１羽根部６６ａによって、スプール本体４２のスカート部４２ｄに向けて案内される。すると、この空気は、スカート部４２ｄの複数の第２排熱孔４２ｇを介して、スプール本体４２の内部からスプール本体４２の外部へと排出される。これにより、摩擦部７２において発生した熱によって暖められた空気を、よりスムーズに排出することができる。
【０１３２】
（ｄ）前記実施形態では、ヒートシンク４４に複数の第1排熱孔６５ａが設けられる場合の例を示した。これに代えて、図５に示すように、複数のスリット６５ｄ（第１排熱孔の一例）が、ヒートシンク４４に設けられていてもよい。
【０１３３】
この場合、例えば、複数のスリット６５ｄが、ヒートシンク４４の拡張部６２における、第１連結部６５（円環部６５ｃ及び傾斜部６５ｂ）及び第１外側筒部６３に、設けられる。複数のスリット６５ｄそれぞれは、第１連結部６５では径方向に延び且つ第１外側筒部６３では軸方向に延びている。このように、ヒートシンク４４に複数のスリット６５ｄを設けたとしても、前記実施形態と同様に、摩擦部７２において発生した熱によって暖められた空気を、排出することができる。
【０１３４】
（ｅ）前記実施形態では、後フランジ部４２ｃの後面が、実質的に平面状である場合の例を示した。これに代えて、図５に示すように、複数の溝部１４２ｃが、後フランジ部４２ｃの後面に形成されていてもよい。
【０１３５】
この場合、複数の溝部１４２ｃは、ドラグ機構４３の摩擦部７２（第２ドラグ座金７４ａ）に対向するように、後フランジ部４２ｃに形成される。複数の溝部１４２ｃそれぞれは、後フランジ部４２ｃの後面において周方向に延びている。また、複数の溝部１４２ｃそれぞれは、後フランジ部４２ｃの後面において径方向に間隔を隔てて配置される。複数の溝部１４２ｃそれぞれの断面は、実質的にＶ字形状に形成されている。このように、後フランジ部４２ｃの後面に複数の溝部１４２ｃを形成することによって、スプール本体４２に対する、ドラグ機構４３の摩擦部７２の熱伝達を、低減することができる。
【０１３６】
（ｆ）前記実施形態では、摺動部７７がワッシャである場合の例を示したが、摺動部７７を、ドラグ機構４３として、構成してもよい。この場合、ドラグ機構４３は、第１摩擦部（前記実施形態の摩擦部７２に対応）と、第２摩擦部（前記実施形態の摺動部７７に対応）とから、構成される。この場合、第２摩擦部は、前記実施形態の摩擦部７２と同様に、複数のドラグ座金から構成される。このように構成しても、上述した効果と同様の効果を得ることができる。
【符号の説明】
【０１３７】
１      スピニングリール
４      スプール
１５    スプール軸
４１    支持部
４２    スプール本体
４２ａ  糸巻胴部
４２ｂ  前フランジ部
４２ｃ  後フランジ部
４２ｄ  スカート部
４２ｇ  第２排熱孔
４３    ドラグ機構
４４    ヒートシンク
４５    排熱カバー
６１    接触部
６２    拡張部
６５ａ  第１排熱孔
６６ａ  複数の羽根部
７３ａ，７３ｂ  第１ドラグ座金
７４ａ，７４ｂ  第２ドラグ座金
【図１】
0006682253.tif 000002
【図２】
0006682253.tif 000003
【図３】
0006682253.tif 000004
【図４】
0006682253.tif 000005
【図５】
0006682253.tif 000006